(57)【要約】【課題】  押ボタンユニットの操作部に導電性めっき層を形成してその見栄えを向上させ得るものでありながら、操作部の導電性めっき層とスイッチとの間の静電耐圧性能を向上させることができるようにする。【解決手段】  合成樹脂製の押ボタンユニット１が、操作部２と遮蔽部３とを有し、遮蔽部３に樹脂ヒンジ３１が備わっている。押ボタンユニット１を遮蔽部３と操作部２とに分割し、操作部２だけに導電性めっき層を形成して遮蔽部３に結合する。遮蔽部３に、スイッチ５のタクト５１を取り囲むリブ状の遮蔽壁３７を一体成形する。【選択図】        図２
2005116223.tif 000002
【特許請求の範囲】
【請求項１】
筐体の孔部に挿入された合成樹脂製の操作部に、その操作部と孔部の孔縁との隙間を筐体の内側から覆う合成樹脂製の遮蔽部が備わっている押ボタンユニットを有し、その押ボタンユニットの操作部の押込み操作に伴う遮蔽部の変位によって、遮蔽部の背部に設置されたスイッチのタクトが押し込まれるようになっているスイッチ装置において、
上記押ボタンユニットが、導電性めっき層を有しない上記遮蔽部と、導電性めっき層を有する上記操作部とに分割されていると共に、上記遮蔽部に具備された孔部に挿入されてその孔部の孔縁に溶着結合されかつ導電性めっき層を有しない合成樹脂製の支持軸が上記操作部に一体成形されていることによって操作部が遮蔽部に結合され、
上記遮蔽部に、上記スイッチのタクトの周囲に配備されて上記操作部からそのタクトに至る沿面距離を増大させるリブ状の遮蔽壁が一体成形され、かつ、その遮蔽部に樹脂ヒンジを介して連設された取付部が、上記筐体に固着されていることを特徴とするスイッチ装置。
【請求項２】
筐体の孔部に挿入された合成樹脂製の操作部に、その操作部と孔部の孔縁との隙間を筐体の内側から覆う合成樹脂製の遮蔽部が備わっている押ボタンユニットを有し、その押ボタンユニットの操作部の押込み操作に伴う遮蔽部の変位によって、遮蔽部の背部に設置されたスイッチのタクトが押し込まれるようになっているスイッチ装置において、
上記押ボタンユニットが、導電性めっき層を有しない上記遮蔽部と、導電性めっき層を有する上記操作部とに分割されていて、操作部はそのめっき層が遮蔽部の背部に露呈しない状態でその遮蔽部に結合されていることを特徴とするスイッチ装置。
【請求項３】
上記遮蔽部に具備された孔部に挿入されてその孔部の孔縁に溶着結合されかつ導電性めっき層を有しない合成樹脂製の支持軸が上記操作部に一体成形されていることによって、操作部が遮蔽部に結合されている請求項２に記載したスイッチ装置。
【請求項４】
上記遮蔽部に設けられた係着部に、上記操作部に設けられた被係着部が上記遮蔽部の前側で係着されることによって、操作部が遮蔽部に結合されている請求項２に記載したスイッチ装置。
【請求項５】
上記遮蔽部に、上記スイッチのタクトの周囲に配備されて上記操作部からそのタクトに至る沿面距離を増大させるリブ状の遮蔽壁が一体成形されている請求項２ないし請求項４のいずれか１項に記載したスイッチ装置。
【発明の詳細な説明】
【技術分野】
【０００１】
本発明は、スイッチ装置、特に、押ボタンユニットの操作部に導電性のめっき層が形成されているスイッチ装置に関する。
【背景技術】
【０００２】
スイッチと操作部を有する押ボタンユニットとを組み合わせ、押ボタンユニットの操作部を押し込んでスイッチを切換え操作するようにしたスイッチ装置があり、このようなスイッチ装置では、押ボタンユニットの操作部を人間が操作したときに、人間の静電気がスイッチに放電してそのスイッチに接続されている電気回路に悪影響を及ぼしたり、電気電子部品が静電破壊されたりすることを防止すること意図した静電対策が従来より講じられている。
【０００３】
このような従来の静電対策として、押ボタンとしての操作部の根元に、その操作部の周囲へ張り出した鍔を合成樹脂で一体成形し、その鍔によって、筐体の孔部の孔縁とその孔部に挿入されている操作部との隙間を遮蔽すると共に、操作部からスイッチに至る沿面距離を増大させ、それによって静電耐圧性能を高めるという手段を採用したものがあった（たとえば、特許文献１又は特許文献２参照）。
【０００４】
一方、記録媒体として磁気テープを用いる磁気テープ装置や、記録媒体として光ディスクを用いる光ディスク装置などの電気電子機器では、スイッチを操作するための操作部に金属めっき層のような導電性を有するめっき層を形成することが要求されることがある。
【０００５】
また、操作部の根元に、その操作部の周囲へ張り出した遮蔽部を合成樹脂で一体成形しておくことによって、筐体の孔部の孔縁とその孔部に挿入されている操作部との隙間を遮蔽すると共に、その遮蔽部に樹脂ヒンジを介して連設された取付部を上記筐体に固着した構成のスイッチ装置において、少なくとも上記操作部に導電性を有するめっき層を形成することにより、操作部の外観上の見栄えを高めておくことが要求されることもある。
【０００６】
【特許文献１】実開平１−１６７０００号公報
【特許文献２】実開昭６３−１９６５３６号公報
【発明の開示】
【発明が解決しようとする課題】
【０００７】
このような状況の下で、上記した操作部と遮蔽部とを合成樹脂で一体成形してなる押ボタンユニットの操作部の外観上の見栄えを高めるために、押ボタンユニットの全体に導電性めっき層を形成することが考えられる。
【０００８】
図５はそのような押ボタンユニットとスイッチとを組み合わせた比較例としてのスイッチ装置の断面図であり、１は押ボタンユニット、５はスイッチである。
【０００９】
この押ボタンユニット１は、操作部２と遮蔽部３とを合成樹脂で一体成形してあると共に、遮蔽部３に樹脂ヒンジ３１を介して連設された取付部３２を、電気電子機器の筐体（不図示）に固着するようになっている。この押ボタンユニット１において、その全体に導電性めっき層が形成されている場合を考えると、押ボタンユニット１の遮蔽部３に形成されている導電性めっき層がその押ボタンユニット１によって操作されるスイッチ５に近接して位置するために静電耐圧性能が極端に低下してしまう。また、押ボタンユニット１に樹脂ヒンジ３１が備わっていて、その樹脂ヒンジ３１にも導電性めっき層が形成されているために、操作部２の押込み操作に伴って樹脂ヒンジ３１が繰り返し撓み変形すると、それによって樹脂ヒンジ３１に形成されているめっき層が剥離して見苦しくなったり脱落しためっき層による短絡事故が起こったりするおそれがある。
【００１０】
そこで、操作部と遮蔽部とを合成樹脂で一体成形してなる押ボタンユニットにおいて、操作部だけに導電性めっき層を形成し、遮蔽部にはマスキングを施して導電性めっき層を形成しないようにすると、操作部の導電性めっき層とスイッチとの間に遮蔽部が位置し、その遮蔽部によって操作部の導電性めっき層とスイッチとの沿面距離が延長されるために静電耐圧性能を向上させることができると考えられた。また、そのようにすると、遮蔽部に樹脂ヒンジが備わっている押ボタンユニットにおいても、樹脂ヒンジのめっき層が剥離する余地がなくなると考えられた。
【００１１】
しかしながら、操作部と遮蔽部とを合成樹脂で一体成形してなる押ボタンユニットにおいて、めっき処理工程で遮蔽部にマスキングを施して導電性めっき層が形成されないようにするという対策を採った場合には、めっき処理のための電極を操作部に接続する必要が生じるけれども、事実上は操作部に電極を接続することができないことが判っている。そのために、操作部と遮蔽部とを合成樹脂で一体成形してなる押ボタンユニットにあっては、操作部だけに導電性めっき層を形成し、遮蔽部には導電性めっき層を形成しないようにすることによって静電耐圧性能を高めるという対策を講じることが困難である。
【００１２】
本発明は以上の状況の下でなされたものであり、押ボタンユニットが操作部と遮蔽部とを有するものでありながら、操作部だけが導電性めっき層を有して見栄えのよい外観を呈し、導電性めっき層を有しない遮蔽部が、操作部の導電性めっき層とスイッチとの間の放電空間を遮蔽すると同時に両者の沿面距離を延長して静電耐圧性能を向上させることに役立つスイッチ装置を提供することを目的とする。
【００１３】
また、本発明は、遮蔽部に樹脂ヒンジを介して連設された取付部を筐体に固着するものに対しても適用が可能な静電耐圧性能に優れたスイッチ装置を提供することを目的とする。
【課題を解決するための手段】
【００１４】
本発明に係るスイッチ装置は、筐体の孔部に挿入された合成樹脂製の操作部に、その操作部と孔部の孔縁との隙間を筐体の内側から覆う合成樹脂製の遮蔽部が備わっている押ボタンユニットを有し、その押ボタンユニットの操作部の押込み操作に伴う遮蔽部の変位によって、遮蔽部の背部に設置されたスイッチのタクトが押し込まれるようになっている。そして、上記押ボタンユニットが、導電性めっき層を有しない上記遮蔽部と、導電性めっき層を有する上記操作部とに分割されていて、操作部はそのめっき層が遮蔽部の背部に露呈しない状態でその遮蔽部に結合されている、というものである。
【００１５】
この構成であれば、押ボタンユニットの操作部をその遮蔽部から分割した上でその操作部を遮蔽部に結合してあるので、両者を結合する前に操作部だけにめっき処理を施すことが可能になる。そのために、操作部にめっき処理のための電極を接続してその操作部に導電性めっき層を形成し、そのようなめっき処理後に操作部を遮蔽部に結合して押ボタンユニットを形成することが可能になるという利便性が得られる。また、上記構成のスイッチ装置によれば、操作部が導電性めっき層を有しているのでその操作部が見栄えのよい外観を呈するだけでなく、導電性めっき層を有する操作部とスイッチとの対向空間に導電性めっき層を有しない遮蔽部が介在され、その遮蔽部が、操作部と筐体側の孔部の孔縁との隙間を覆うと共に操作部の導電性めっき層からスイッチに至る沿面距離を延長するので静電耐圧性能が向上し、人間が操作部を操作しても、人間の静電気がスイッチに放電するという事態が起こりにくくなる。
【００１６】
本発明では、上記遮蔽部に具備された孔部に挿入されてその孔部の孔縁に溶着結合されかつ導電性めっき層を有しない合成樹脂製の支持軸が上記操作部に一体成形されていることによって、操作部が遮蔽部に結合されている、という構成を採用することが可能である。これによれば、支持軸が遮蔽部の孔部に挿入されて溶着結合されてその溶着結合箇所がスイッチの近くに位置するとしても、その支持軸には導電性めっき層が形成されていないので、支持軸を遮蔽部の孔部に挿入して溶着結合して操作部と遮蔽部との結合強度を高めても、そのことが静電耐圧性能を低下させる原因になることがない。したがって、このものによっても、静電耐圧性能が向上し、人間が操作部を操作しても、人間の静電気がスイッチに放電するという事態が起こりにくくなる。
【００１７】
本発明において、上記遮蔽部に設けられた係着部に、上記操作部に設けられた被係着部が上記遮蔽部の前側で係着されることによって、操作部が遮蔽部に結合されている、という構成を採用することが可能である。これによれば、溶着処理を行うことなく、操作部を遮蔽部に結合することが可能になって、そのことが組立性を高めることに役立つだけでなく、遮蔽部が操作部の導電性めっき層とスイッチとの対向空間に介在され、その遮蔽部が、操作部と筐体側の孔部の孔縁との隙間を覆うと共に操作部の導電性めっき層からスイッチに至る沿面距離を延長するので静電耐圧性能が向上し、人間が操作部を操作しても、人間の静電気がスイッチに放電するという事態が起こりにくくなる。
【００１８】
本発明では、上記遮蔽部に、上記スイッチのタクトの周囲に配備されて上記操作部からそのタクトに至る沿面距離を増大させるリブ状の遮蔽壁が一体成形されていることが望ましい。これによれば、スイッチのタクトを遮蔽壁が取り囲んだ形態になるので、操作部の導電性めっき層とスイッチとの沿面距離がいっそう延長されて静電耐圧性能をさらに向上させることが可能になる。
【００１９】
本発明に係るスイッチ装置は、筐体の孔部に挿入された合成樹脂製の操作部に、その操作部と孔部の孔縁との隙間を筐体の内側から覆う合成樹脂製の遮蔽部が備わっている押ボタンユニットを有し、その押ボタンユニットの操作部の押込み操作に伴う遮蔽部の変位によって、遮蔽部の背部に設置されたスイッチのタクトが押し込まれるようになっているスイッチ装置において、上記押ボタンユニットが、導電性めっき層を有しない上記遮蔽部と、導電性めっき層を有する上記操作部とに分割されていると共に、上記遮蔽部に具備された孔部に挿入されてその孔部の孔縁に溶着結合されかつ導電性めっき層を有しない合成樹脂製の支持軸が上記操作部に一体成形されていることによって操作部が遮蔽部に結合され、上記遮蔽部に、上記スイッチのタクトの周囲に配備されて上記操作部からそのタクトに至る沿面距離を増大させるリブ状の遮蔽壁が一体成形され、かつ、その遮蔽部に樹脂ヒンジを介して連設された取付部が、上記筐体に固着されている、という構成を採用することによっていっそう具体化される。この発明の作用は以下に説明する実施形態を参照して詳細に説明する。
【発明の効果】
【００２０】
本発明によれば、押ボタンユニットが操作部と遮蔽部とを有するものでありながら、操作部だけが導電性めっき層を有して見栄えのよい外観を呈し、導電性めっき層を有しない遮蔽部が、操作部の導電性めっき層とスイッチとの間の放電空間を遮蔽すると同時に両者の沿面距離を延長して静電耐圧性能を向上させることに役立つ。そのため、スイッチが押ボタンユニットの操作部に比較的近接して配備されるようなスイッチ装置であっても、導電性めっき層によって見栄えが向上した操作部を有しているものでありながら、人間の静電気でスイッチに電気的接続された電気回路や電気電子部品が静電破壊されるという事態が起こりにくくなり、そのことがスイッチ装置の小形化、ひいてはスイッチ装置を備えた電気電子機器の小形化に役立つようになる。
【００２１】
また、本発明によれば、押ボタンユニットの遮蔽部に樹脂ヒンジを介して連設された取付部が筐体に固着されるようなスイッチ装置であっても、樹脂ヒンジにめっき層が形成されていないので、その樹脂ヒンジが押ボタン操作によって繰り返し撓み変形してもめっき層が剥離するという余地がない。したがって、剥離しためっき層によって短絡事故などの起こるおそれもなくなる。
【００２２】
これらのことから、押ボタンユニットの遮蔽部に樹脂ヒンジを介して連設された取付部が筐体に固着されるようなスイッチ装置においても、導電性めっき層によって見栄えを向上させた操作部を備えているにもかかわらず、優れた静電耐圧性能を有して電気回路や電気電子部品に静電破壊が起こりにくく、しかも、小形化されたスイッチ装置を提供することができるようになる。
【発明を実施するための最良の形態】
【００２３】
図１（Ａ）は本発明に係るスイッチ装置を採用した電気電子機器でなる磁気テープ装置の概略正面図、（Ｂ）は同概略背面図である。また、図２は図１（Ｂ）のＩＩ−ＩＩ線に沿う部分の拡大した断面図、図３は押ボタンユニット１を分解して示した断面図、図４は変形例による押ボタンユニット１の要部の断面図である。
【００２４】
図１の磁気テープ装置において、フロントカバーとしての筐体１００の前面パネル１１０の上部中央に横長のテープカセット挿抜口９１が備わり、そのテープカセット挿抜口９１の片側に電源用スイッチ装置Ｓ１、他側に動作停止／イジェクト用スイッチ装置Ｓ２が備わり、さらに、テープカセット挿抜口９１の下部にチャンネル切換え用スイッチ装置Ｓ３のボタン列や動作制御用スイッチ装置Ｓ４のボタン列が配備されている。
図２のように、電源用スイッチ装置Ｓ１において、押ボタンユニット１は、押ボタンとしての合成樹脂成形体でなる操作部２と、操作部２の根元からその周囲に張り出した板片状の遮蔽部３と、遮蔽部３の下端縁に連設された薄肉の樹脂ヒンジ３１と、この樹脂ヒンジ３１を介して遮蔽部３に連設されている取付部３２とを有している。そして、取付部３２の複数箇所に具備させたボス３３を、筐体１００の前面パネル１１０の突設した合成樹脂でなる突起１１２に嵌合した後、その突起１１２に溶着することによって押ボタンユニット１が筐体１００に固着されていると共に、操作部２が筐体１００側の孔部１２０に挿入されている。また、筐体１００の内部に配備された電源用基板２００にスイッチ５が搭載されていて、このスイッチ５のタクト５１が上記遮蔽部３にその背部から臨まされている。また、上記遮蔽部３には、スイッチ５のタクト５１の周囲全体を覆うように配備されたリブ状の遮蔽壁３７が一体成形されている。
【００２５】
この電源用スイッチ装置Ｓ１にあっては、押ボタンユニット１の操作部２と筐体１００の孔部１２０との間に形成される隙間１２１が、筐体１００の前面パネル１１０の内側から遮蔽部３によって覆われている。そして、操作部２を手の指で押し込むと、樹脂ヒンジ３１が撓んで遮蔽部３が後方へ変位し、それに伴って遮蔽部３がスイッチ５のタクト５１を押し込んでスイッチ５を切り換える。また、操作部２に対する押込み力を解除すると、スイッチ５のタクト５１の復帰力や樹脂ヒンジ３１の復元作用によって遮蔽部３と操作部２とが元の初期位置に復帰する。
【００２６】
この実施形態のスイッチ装置において、上記押ボタンユニット１は、図３のように操作部２と遮蔽部３とに分割されていて、遮蔽部３に具備されている孔部３４に、操作部２に一体成形した支持軸２１を挿入して図２のようにその支持軸２１の端部を遮蔽部３に溶着結合することによって操作部２を遮蔽部３に結合している。なお、遮蔽部３と樹脂ヒンジ３１と取付部３２とは合成樹脂で一体成形されている。
【００２７】
また、図３に示したように、この電源用スイッチ装置Ｓ１では、分割されている操作部２と遮蔽部３とを別々に合成樹脂で成形した後、両者を結合して一体化してある。しかも、操作部２は遮蔽部３に結合する前に、同図に示したように、支持軸２１の全体にマスキング２２を施し、その状態で操作部２の裏面に電極を接続してその操作部２の外面に導電性メッキ層（不図示）を形成し、そのようにして導電性めっき層が形成された後の操作部２の支持軸２１の端部を遮蔽部３の孔部３４に挿入して溶着結合してある。したがって、図２に示した押ボタンユニット１では、操作部２が遮蔽部３に一体化されていて、しかも、操作部２が導電性めっき層が有しているけれども、操作部２の支持軸２１や遮蔽部３は導電性めっき層を有していない。
【００２８】
したがって、押ボタンユニット１が操作部２と遮蔽部３とを有するものでありながら、操作部２だけが導電性めっき層を有して見栄えのよい外観を呈し、導電性めっき層を有しない遮蔽部３が、操作部２の導電性めっき層とスイッチ５との間の放電空間を遮蔽すると同時に両者の沿面距離を延長して静電耐圧性能を向上させることに役立つようになる。このことから、操作部２がスイッチ５の近くに配備されているとしても、人間の静電気でスイッチ５に電気的接続された電気回路や電気電子部品が静電破壊されるという事態が起こりにくくなる。特に、この実施形態では、遮蔽部３に設けたリブ状の遮蔽壁３７がスイッチ５のタクト５１を取り囲んでいることにより静電耐圧性能がいっそう高められた構造になっている。
【００２９】
また、遮蔽部３に連設されている樹脂ヒンジ３１が操作部２の押込み復帰動作によって繰り返し撓み変形したとしても、その樹脂ヒンジ３１には導電性めっき層が形成されていないためにめっき層が剥離して短絡事故の原因になるという事態が起こり得ない。
【００３０】
図２に示した動作制御用スイッチ装置Ｓ４は、遮蔽部３に後方へ延び出た突片部３５が一体に備わり、その突片部３５の背部に、水平に配備されているメイン配線基板３００に搭載されているスイッチ５のタクト５１がその下方から臨まされている点で、先に説明した電源用スイッチ装置Ｓ１と異なっているけれども、その他の点では電源用スイッチ装置Ｓ１と同様の構成を備えている。すなわち、押ボタンユニット１が操作部２と遮蔽部３とに分割されていて、遮蔽部３に具備されている孔部３４に、操作部２に一体成形した支持軸２１を挿入して図２のようにその支持軸２１の端部を遮蔽部３に溶着結合することによって操作部２を遮蔽部３に結合している点や、操作部２が導電性めっき層が有しているけれども、操作部２の支持軸２１や遮蔽部３は導電性めっき層を有していない点などは、電源用スイッチ装置Ｓ１と同様である。したがって、同一又は相応する部分に同一符号を付して説明の重複を回避することとする。
【００３１】
この動作制御用スイッチ装置Ｓ４では、操作部２を手の指で押し込むと、樹脂ヒンジ３１が撓んで遮蔽部３が突片部３５と共に変位し、それに伴って突片部３５がスイッチ５のタクト５１を押し込んでスイッチ５を切り換える。また、操作部２に対する押込み力を解除すると、スイッチ５のタクト５１の復帰力や樹脂ヒンジ３１の復元作用によって遮蔽部３と操作部２とが元の初期位置に復帰する。
【００３２】
この動作制御用スイッチ装置Ｓ４にあっても、押ボタンユニット１が操作部２と遮蔽部３とを有するものでありながら、操作部２だけが導電性めっき層を有して見栄えのよい外観を呈し、導電性めっき層を有しない遮蔽部３が、操作部２の導電性めっき層とスイッチ５との間の放電空間を遮蔽すると同時に両者の沿面距離を延長して静電耐圧性能を向上させることに役立つようになる。しかも、操作部２の押込み復帰動作によってその樹脂ヒンジ３１が繰り返し撓み変形したとしても、その樹脂ヒンジ３１には導電性めっき層が形成されていないことにより、めっき層が剥離して短絡事故の原因になるという事態が起こり得ない。
【００３３】
なお、図１に示した動作停止／イジェクト用スイッチ装置Ｓ２は、上記した電源用スイッチ装置Ｓ１と同様の構成を備え、チャンネル切換え用スイッチ装置Ｓ３は動作制御用スイッチ装置Ｓ４と同様の構成を有している。
【００３４】
図２を参照して説明した電源用スイッチ装置Ｓ１や動作制御用スイッチ装置Ｓ４では、押ボタンユニット１の操作部２に施されている導電性めっき層とスイッチ５との対向空間に介在された遮蔽部３によって、導電性めっき層とスイッチ５との間の放電路が遮断されており、しかも、両者の沿面距離が延長されている上に、操作部２の支持軸２１には導電性めっき層が形成されていないので、導電性めっき層を有している操作部２がスイッチ５に近接して配備されているとしても優れた静電耐圧性能を備えている。
【００３５】
ところで、本願発明者は、図３で説明した操作部２の支持軸２１のマスキング２２を形成せずに、支持軸２１を含む操作部２の全体に導電性めっき層を形成した上、その支持軸２１を遮蔽部３の孔部３４に挿入して溶着結合した場合の静電耐圧性能について調査した。このものでは、加熱圧潰された支持軸２１の端部では、支持軸２１の導電性めっき層の一部が樹脂層内に封じ込められていた。この調査の結果、図２の動作制御用スイッチ装置Ｓ４のように支持軸２１の加熱圧潰部２１ａとスイッチ５とが比較的離れている場合には、操作部２を手の指で操作した場合に人間の静電気がスイッチ５に放電するという事態が認められなかったけれども、図２の電源用スイッチ装置Ｓ１のように支持軸２１の加熱圧潰部２１ａとスイッチ５とが比較的近接して配備されている場合には、操作部２を手の指で操作した場合に人間の静電気がスイッチ５に放電するという事態が認められられた。
【００３６】
このことから、上記したように支持軸２１が導電性めっき層を備えていない場合には、操作部２とスイッチ５とを近接して配置しても静電気が放電するということがなくなり、そのことがスイッチ装置の小形化を促進することに役立つという事実が認められた。
【００３７】
図４には、分割されている操作部２と遮蔽部３との結合機構の変形例を示している。この事例では、遮蔽部３に、前向きに突出した爪付き突起でなる係着部３６を一体に具備させ、その係着部３６に、導電性めっき層を形成した操作部２の被係着部２３を嵌め込んで係着させてある。この構造であっても、操作部２の導電性めっき層が遮蔽部３によって完全に遮蔽されるので、その導電性めっき層が遮蔽部３の背部に露呈しないので、優れた静電耐圧性能が得られる。
【００３８】
以上説明した実施形態では、磁気テープ装置に適用したスイッチ装置を説明したけれども、本発明に係るスイッチ装置は、ディスクを用いる記録／再生装置などの他の電気電子機器のスイッチ装置としても適用可能である。
【図面の簡単な説明】
【００３９】
【図１】（Ａ）は本発明に係るスイッチ装置を採用した電気電子機器でなる磁気テープ装置の概略正面図、（Ｂ）は同概略背面図である。
【図２】図１（Ｂ）のＩＩ−ＩＩ線に沿う部分の拡大した断面図である。
【図３】押ボタンユニットを分解して示した断面図である。
【図４】変形例による押ボタンユニットの要部の断面図である。
【図５】押ボタンユニットとスイッチとを組み合わせた比較例としてのスイッチ装置の断面図である。
【符号の説明】
【００４０】
１  押ボタンユニット
２  操作部
３  遮蔽部
５  スイッチ
２１  支持軸
２３  被係着部
３１  樹脂ヒンジ
３２  取付部
３４  孔部
３６  係着部
３７  遮蔽壁
５１  タクト
１００  筐体
１２０  孔部
１２１  隙間
Ｓ１，Ｓ２，Ｓ３，Ｓ４  スイッチ装置
【図１】
2005116223.tif 000003
【図２】
2005116223.tif 000004
【図３】
2005116223.tif 000005
【図４】
2005116223.tif 000006
【図５】
2005116223.tif 000007